(57)【要約】【課題】照射対象の大きさに応じて、適正な光量を発光可能な発光制御装置を提供する。【解決手段】本発明の発光制御装置１０は、本発光とモニタ発光とを行う発光部４の発光制御を行う発光制御装置１０であって、複数の画素ｐの配列により構成され、被写体からの光を受光する撮影範囲１０ａと、該撮影範囲１０ａを、それぞれが複数の画素ｐを含む複数の分割領域Ｒに分割し、該複数の分割領域Ｒの中の特定の分割領域Ｒを選択して特定領域Ｒｍａｘとし、特定領域Ｒｍａｘをさらに小分割領域ｒに分け、小分割領域ｒにおける、発光部４による発光がない状態で撮像範囲１０ａに入射した定常状態の光量ｓ０と、小分割領域ｒにおける、発光部４がモニタ発光を行った際に撮影範囲１０ａに入射したモニタ発光時の光量ｓ１との差ｓに基づいて、発光部４における本発光の際の、発光量を補正する処理部８と、を備えることを特徴とする。【選択図】図５
2013156359.tif 000002
【特許請求の範囲】
【請求項１】
被写体の撮影時に、該被写体に対する照明光を発生する本発光と、該本発光を行う際の発光量を決定するために、前記被写体の撮影前に行うモニタ発光と、を行う発光部の発光制御を行う発光制御装置であって、
複数の画素の配列により構成され、前記被写体からの光を受光する撮像素子と、
該撮像素子を、それぞれが複数の画素を含む複数の分割領域に分割し、
該複数の分割領域の中の特定の分割領域を選択して特定領域とし、
前記特定領域をさらに小分割領域に分け、
前記小分割領域における、前記発光部による発光がない状態で前記撮像素子に入射した定常状態の光量と、前記小分割領域における、前記発光部が前記モニタ発光を行った際に前記撮像素子に入射したモニタ発光時の光量との差に基づいて、前記発光部における前記本発光の際の、発光量を補正する処理部と、
を備えることを特徴とする発光制御装置。
【請求項２】
請求項１に記載の発光制御装置であって、
前記特定領域は、前記定常状態の光量と、前記モニタ発光時の光量との前記差が最大の分割領域であること、
を特徴とする発光制御装置。
【請求項３】
請求項１に記載の発光制御装置であって、
前記特定領域は、主要被写体が存在する分割領域であること、
を特徴とする発光制御装置。
【請求項４】
請求項１〜３のいずれか１項に記載の発光制御装置であって、
前記処理部は、
前記小分割領域それぞれについて、該小分割領域内の前記画素の前記差を合算して評価値を求め、
前記評価値を第１閾値と比較し、
前記評価値が前記第１閾値より小さい前記小分割領域の数である低評価値領域数が、一定の範囲にある場合に、前記発光量を低減する補正を行うこと、
を特徴とする発光制御装置。
【請求項５】
請求項１〜４のいずれか１項に記載の発光制御装置であって、
前記処理部は、
前記小分割領域それぞれについて、該小分割領域内の前記画素の前記差を合算して評価値を求め、
前記評価値を第１閾値と比較し、
前記差が前記第１閾値より小さい前記小分割領域の数である低評価値領域数の前記小分割領域全体に占める割合から、前記小分割領域における前記低評価値領域数の、被写体輝度に対する影響度を求め、その影響度に応じて、前記発光量の低減量を決定すること、
を特徴とする発光制御装置。
【請求項６】
被写体の撮影時に、該被写体に対する照明光を発生する本発光と、該本発光を行う際の発光量を決定するために、前記被写体の撮影前に行うモニタ発光と、行う発光部の発光制御を行う発光制御装置であって、
複数の画素の配列により構成され、前記被写体からの光を受光する撮像素子と、
該撮像素子を、それぞれが複数の画素を含む複数の分割領域に分割し、
該複数の分割領域の中の特定の分割領域を選択して特定領域とし、
前記特定領域をさらに小分割領域に分け、
前記小分割領域における、前記発光部が前記モニタ発光を行った際に前記撮像素子に入射したモニタ発光時の光量に基づいて、前記発光部における前記本発光の際の、発光量を補正する処理部と、
を備えることを特徴とする発光制御装置。
【請求項７】
請求項１から請求項６のいずれか１項に記載の発光制御装置を備えるカメラ。
【請求項８】
被写体の撮影時に、該被写体に対する照明光を発生する本発光と、該本発光を行う際の発光量を決定するために、前記被写体の撮影前に行うモニタ発光と、を行う発光部と、
複数の画素の配列により構成され、前記被写体からの光を受光する撮像素子とを備える発光制御装置において、
該撮像素子を、それぞれが複数の画素を含む複数の分割領域に分割し、
該複数の分割領域の中の特定の分割領域を選択して特定領域とし、
前記特定領域をさらに小分割領域に分け、
前記小分割領域における、前記発光部による発光がない状態で前記撮像素子に入射した定常状態の光量と、
前記小分割領域における、前記発光部が前記モニタ発光を行った際に前記撮像素子に入射したモニタ発光時の光量との差に基づいて、前記発光部における前記本発光の際の、発光量を補正すること、
を特徴とする発光制御方法。
【発明の詳細な説明】
【技術分野】
【０００１】
本発明は、発光制御装置、カメラ及び発光制御方法に関するものである。
【背景技術】
【０００２】
従来、被写体に対して照明光を照射可能な発光部を備えるカメラがある。このようなカメラは、撮影時の本発光量を決定するために、事前にモニタ発光を行う。この際、撮影画面を複数の領域に分割し、その分割領域のうち、モニタ発光の反射光の光量（定常光とモニタ発光時の光量との差、評価値）が最大となる分割領域の評価値に基づいて、本発光の際の発光量を求めている（特許文献１参照）。
【先行技術文献】
【特許文献】
【０００３】
【特許文献１】特開平６−１９７２７０号公報
【発明の概要】
【発明が解決しようとする課題】
【０００４】
しかし、分割領域内において、照明光の照射対象（主要被写体等）の占める面積が小さい場合、反射のない背景部分も平均化された評価値に基づいて本発光量が決定される。このため、本来被写体が持っている反射率よりも低い反射率（暗い被写体）と誤認識してしまい、照射対象が過度に照明されることがある。
【０００５】
本発明の課題は、照射対象の大きさに応じて、適正な光量を発光可能な発光制御装置、カメラ及び発光制御方法を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、被写体の撮影時に、該被写体に対する照明光を発生する本発光と、該本発光を行う際の発光量（Ｘ）を決定するために、前記被写体の撮影前に行うモニタ発光と、行う発光部（４）の発光制御を行う発光制御装置（１０）であって、複数の画素（ｐ）の配列により構成され、前記被写体からの光を受光する撮像素子（１０ａ）と、該撮像素子（１０ａ）を、それぞれが複数の画素（ｐ）を含む複数の分割領域（Ｒ）に分割し、該複数の分割領域（Ｒ）の中の特定の分割領域（Ｒ）を選択して特定領域（Ｒｍａｘ）とし、前記特定領域（Ｒｍａｘ）をさらに小分割領域（ｒ）に分け、前記小分割領域（ｒ）における、前記発光部（４）による発光がない状態で前記撮像素子（１０ａ）に入射した定常状態の光量（ｓ０）と、前記小分割領域（ｒ）における、前記発光部（４）が前記モニタ発光を行った際に前記撮像素子（１０ａ）に入射したモニタ発光時の光量（ｓ１）との差（ｓ）に基づいて、前記発光部（４）における前記本発光の際の、発光量を補正する処理部（８）と、を備えることを特徴とする発光制御装置（１０）である。
請求項２に記載の発明は、請求項１に記載の発光制御装置（１０）であって、前記特定領域（Ｒｍａｘ）は、前記定常状態の光量（ｓ０）と、前記モニタ発光時の光量（ｓ１）との前記差（ｓ）が最大の分割領域（Ｒ）であること、を特徴とする発光制御装置（１０）である。
請求項３に記載の発明は、請求項１に記載の発光制御装置（１０）であって、前記特定領域（Ｒｍａｘ）は、主要被写体が存在する分割領域（Ｒ）であること、を特徴とする発光制御装置（１０）である。
請求項４に記載の発明は、請求項１〜３のいずれか１項に記載の発光制御装置（１０）であって、前記処理部（８）は、前記小分割領域（ｒ）それぞれについて、該記小分割領域（ｒ）内の前記画素（ｐ）の前記差（ｓ）を合算して評価値（Ｓ）を求め、前記評価値（Ｓ）を第１閾値（Ａ）と比較し、前記評価値（Ｓ）が前記第１閾値（Ａ）より小さい前記小分割領域（ｒ）の数である低評価値領域数（ＣＣ）が、一定の範囲にある場合に、前記発光量（Ｘ）を低減する補正を行うこと、を特徴とする発光制御装置（１０）である。
請求項５に記載の発明は、請求項１〜４のいずれか１項に記載の発光制御装置（１０）であって、前記処理部（８）は、前記小分割領域（ｒ）それぞれについて、該記小分割領域（ｒ）内の前記画素（ｐ）の前記差（ｓ）を合算して評価値（Ｓ）を求め、前記評価値（Ｓ）を第１閾値（Ａ）と比較し、前記差（ｓ）が前記第１閾値（Ａ）より小さい前記小分割領域（ｒ）の数である低評価値領域数（ＣＣ）の前記小分割領域全体に占める割合から、前記小分割領域（ｒ）における前記低評価値領域数（ＣＣ）の、被写体輝度に対する影響度を求め、その影響度に応じて、前記発光量（Ｘ）の低減量を決定すること、を特徴とする発光制御装置（１０）である。
請求項６に記載の発明は、被写体の撮影時に、該被写体に対する照明光を発生する本発光と、該本発光を行う際の発光量（Ｘ）を決定するために、前記被写体の撮影前に行うモニタ発光と、行う発光部（４）の発光制御を行う発光制御装置であって、複数の画素（ｐ）の配列により構成され、前記被写体からの光を受光する撮像素子（１０ａ）と、該撮像素子（１０ａ）を、それぞれが複数の画素（ｐ）を含む複数の分割領域（Ｒ）に分割し、該複数の分割領域（Ｒ）の中の特定の分割領域（Ｒ）を選択して特定領域（Ｒｍａｘ）とし、前記特定領域（Ｒｍａｘ）をさらに小分割領域（ｒ）に分け、前記小分割領域（ｒ）における、前記発光部（４）が前記モニタ発光を行った際に前記撮像素子（１０ａ）に入射したモニタ発光時の光量（ｓ１）に基づいて、前記発光部（４）における前記本発光の際の、発光量を補正する処理部（８）と、を備えることを特徴とする発光制御装置（１０）である。
請求項７に記載の発明は、請求項１から請求項６のいずれか１項に記載の発光制御装置（１０）を備えるカメラ（１）である。
請求項８に記載の発明は、被写体の撮影時に、該被写体に対する照明光を発生する本発光と、該本発光を行う際の発光量（Ｘ）を決定するために、前記被写体の撮影前に行うモニタ発光と、行う発光部（４）と、複数の画素（ｐ）の配列により構成され、前記被写体からの光を受光する撮像素子（１０ａ）とを備える発光制御装置（１０）において、該撮像素子（１０ａ）を、それぞれが複数の画素（ｐ）を含む複数の分割領域（Ｒ）に分割し、該複数の分割領域（Ｒ）の中の特定の分割領域（Ｒ）を選択して特定領域（Ｒｍａｘ）とし、前記特定領域（Ｒｍａｘ）をさらに小分割領域（ｒ）に分け、前記小分割領域（ｒ）における、前記発光部（４）による発光がない状態で前記撮像素子（１０ａ）に入射した定常状態の光量（ｓ０）と、前記小分割領域（ｒ）における、前記発光部（４）が前記モニタ発光を行った際に前記撮像素子（１０ａ）に入射したモニタ発光時の光量（ｓ１）との差（ｓ）に基づいて、前記発光部（４）における前記本発光の際の、発光量を補正すること、を特徴とする発光制御方法である。
【０００７】
なお、符号を付して説明した構成は、適宜改良してもよく、また、少なくとも一部を他の構成物に代替してもよい。
【発明の効果】
【０００８】
本発明によれば、照射対象の大きさに応じて、適正な光量を発光可能な発光制御装置、カメラ及び発光制御方法を提供することができる。
【図面の簡単な説明】
【０００９】
【図１】本実施形態のカメラの概略図である。
【図２】カメラの機能ブロック図である。
【図３】本実施形態のカメラの基本動作を示すフローチャートである。
【図４】（ａ）は撮像素子中の分割領域を示す図であり、（ｂ）は分割領域中の最大反射光受光領域を示す図である。
【図５】図３のフローチャートにおける補正量演算をさらに詳細に説明するフローチャートである。
【図６】低評価値領域数ＣＣの大きさによって発光量補正を行うかどうかを説明する図である。
【図７】Ｙを横軸にして、縦軸を補正係数Ｈｏ＿ｄｌｔとしたグラフである。
【発明を実施するための形態】
【００１０】
以下、図面等を参照して、本発明の実施形態について説明する。
図１は本実施形態のカメラ１の概略図である。図示するように、カメラ１は、筐体２を備え、筐体２の前面には沈胴式のレンズ鏡筒３及び発光部４が設けられている。また、筐体２の上面にはレリーズスイッチ５が設けられている。
【００１１】
図２はカメラ１の機能ブロック図である。カメラ１は、上述のレリーズスイッチ５を含む操作部５１、レンズ鏡筒３、発光部４を備え、さらに撮像部６、表示部７及びそれらを統括制御する処理部８を備える。また、撮像部６と処理部８とにより発光制御装置１０を構成している。
【００１２】
操作部５１は、レリーズスイッチ５や、ズームを行うズームボタン、電源のＯＮ／ＯＦＦスイッチ、また撮影、再生等を切り替えるセレクタスイッチ、カメラの機能を選択する選択スイッチ等を備える（レリーズスイッチ以外、不図示）。
【００１３】
レンズ鏡筒３は、複数の撮影レンズを備えるズーム可能なレンズ鏡筒である。レンズ鏡筒３は、操作部５１からの入力に基づく処理部８の信号により合焦動作やズーム動作を行う。
【００１４】
発光部４は、例えば、キセノン管等の発光源を備え、処理部８からの信号に基づき、モニタ発光及び本発光を行う。なお、本発光は、実際の撮影の際の、被写体を照明するための発光であり、モニタ発光とは、本発光の発光量を適正量とするために、被写体からの反射光量を本発光前に予め測定するための発光である。
【００１５】
撮像部６は、レンズ鏡筒３を通過した被写体光を電気信号に変換して出力する撮像素子を備える。撮像素子は、複数の画素が配列された光−電気変換素子である。撮像素子は、例えば、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサである。
【００１６】
処理部８は、撮像部６から出力された電気信号を、アナログ処理（ゲインコントロール等）し、デジタル変換するとともに、各部の制御、さらに後述する本発光量の補正演算も行う。
【００１７】
表示部７は、筐体２の背面に設けられ、撮影済み画像やメニュー画面等を表示する。デジタル変換された被写体画像は、表示部７によって表示され、また、メモリ（不図示）等に記憶される。
【００１８】
図３は、本実施形態のカメラ１の基本動作を示すフローチャートであり、カメラ１は以下のように動作する。
まず、レリーズスイッチ５が押下されると、レンズ鏡筒３を介した被写体光は撮像部６によって電気信号に変換される。その電気信号は処理部８によってデジタル信号に変換され、発光部４からの発光がない定常状態の定常光量ｓ０が測定される（ステップＳ１）。
【００１９】
処理部８は、発光が必要な場合（ステップＳ２，ＹＥＳ）と、発光部４を介してモニタ発光を行う（ステップＳ３）。
モニタ発光が行われた際の被写体光も撮像部６によって電気信号に変換され、処理部８によってデジタル信号に変換され、モニタ発光時光量ｓ１が測定される（ステップＳ４）。
処理部８により、モニタ発光時光量ｓ１から定常光量ｓ０を引いた差である、モニタ発光による反射光量ｓ（ｓ＝ｓ１−ｓ０）が演算される（ステップＳ５）。
【００２０】
この反射光量ｓに基づき、発光部４の本発光時の発光量Ｘ０が処理部８によって演算される（ステップＳ６）。
【００２１】
次いで、この発光量Ｘ０に対する補正量Ｈｏ＿ａｎｓが演算される（ステップＳ７）。この補正量Ｈｏ＿ａｎｓの演算については後述する。
発光量Ｘ０に対して補正量Ｈｏ＿ａｎｓを減算し（下式）、本発光量Ｘを演算する（ステップＳ８）。
Ｘ＝Ｘ０−Ｈｏ＿ａｎｓ              式（１）
そして、この本発光量Ｘで本発光を行うと同時に（ステップＳ９）、撮影を行う（ステップＳ１０）。
なお、ステップＳ２において、発光なしの場合は、（ステップＳ２，ＮＯ）、発光部４による発光は行わずにステップＳ１０へ進み、撮影を行う。
【００２２】
ここで、図４は撮影範囲１０ａを示す図である。図示するように、撮影範囲１０ａは、複数の画素ｐ（図中、左上に４個のみ図示）によって、縦横に複数配列され、構成されている。そして、上述の光量測定は、それぞれの画素ごとに行われる。
撮影範囲１０ａを図４（ａ）に示すように、便宜上、比較的大きな領域の複数の分割領域Ｒに再分割する。図４（ａ）においては一例としてＲ０〜Ｒ２４の２５の領域に分割している。
【００２３】
図５は、図３のフローチャートにおけるステップＳ７の補正量演算をさらに詳細に説明するフローチャートである。
まず、処理部８は、それぞれの画素ｐの反射光量ｓを分割領域Ｒごとに合算し、分割領域Ｒのうち、合算された反射光量が最も多い反射光受光領域を、最大反射光受光領域Ｒｍａｘとする（ステップＳ１１）。
図４（ａ）の場合、複数の分割領域Ｒ０〜Ｒ２４のうち、分割領域Ｒ１２に人物の顔が位置し、この部分からの反射光量が最も多いので、このＲ１２が最大反射光受光領域Ｒｍａｘとなる。
【００２４】
最大反射光受光領域Ｒｍａｘをさらに複数の小分割領域ｒに細分化する。図４（ｂ）においては一例としてｒ０〜ｒ８の小領域に９分割したものを示す。
それぞれの小分割領域ｒにおいて、小分割領域ｒが含む複数の画素の反射光量ｓを合算する。この小分割領域ｒの反射光量ｓの合算値を評価値Ｓとする（ステップＳ１２）。
【００２５】
例えば、図４（ｂ）に示すように、最大反射光受光領域Ｒｍａｘ中、小分割領域ｒ０，ｒ１，ｒ２，ｒ３，ｒ５，ｒ６，ｒ８は背景で、ｒ４は被写体の顔、ｒ７は被写体の胴部が存在する。背景部分の小分割領域ｒ０，ｒ１，ｒ２，ｒ３，ｒ５，ｒ６，ｒ８の評価値Ｓは、反射光量ｓが少ないためゼロか、若しくは、ｒ４やｒ７と比べて非常に小さい値となる。
【００２６】
この評価値Ｓを評価値閾値Ａと比較する（ステップＳ１３）。
そして、最大反射光受光領域Ｒｍａｘ中の、Ｓ≦Ａとなる小分割領域ｒの数を数え、低評価値領域数ＣＣとする（ステップＳ１４）。
【００２７】
上述の式（１）で示した発光量補正を行うか否かは、まず低評価値領域数ＣＣの大きさよって分けられる。図６は、この低評価値領域数ＣＣの大きさによって発光量補正を行うかどうかを説明する図である。
【００２８】
まず、低評価値領域数ＣＣを、第１領域数閾値ｃｏｎｔＬｏと比較する（ステップＳ１５）。低評価値領域数ＣＣ≦ｃｏｎｔＬｏの場合（Ｓ１５，ＹＥＳ）は、図６における領域（Ａ）である。低評価値領域数ＣＣが、第１領域数閾値ｃｏｎｔＬｏ以下の場合とは、背景に対して被写体が十分な大きさで、発光部４の発光量Ｘ０が、被写体に対して適性に決定されている場合である。
【００２９】
ここで、発光量Ｘは、上述のように
Ｘ＝Ｘ０−Ｈｏ＿ａｎｓ              式（１）
である。そして、この補正量Ｈｏ＿ａｎｓは、
Ｈｏ＿ａｎｓ＝Ｈｏ＿ｍａｘ×Ｈｏ＿ｄｌｔ        式（２）
で定められる。Ｈｏ＿ｍａｘは最大補正量、Ｈｏ＿ｄｌｔは補正係数である。
【００３０】
図６の（Ａ）においては、発光部４の発光量Ｘ０が被写体に対して適性に決定されているので、
Ｈｏ＿ｄｌｔ＝０  （ステップＳ２１）
すなわち、式（２）において、
Ｈｏ＿ａｎｓ＝０  （ステップＳ２３）
したがって、発光量Ｘ０に対する発光量の補正は行わず、式（１）は、
Ｘ＝Ｘ０  （図３のステップＳ８）
となる。
【００３１】
ステップＳ１５でＮＯの場合、低評価値領域数ＣＣを、第２領域数閾値ｃｏｎｔＨｉと比較する（Ｓ１６）。第２領域数閾値ｃｏｎｔＨｉは、第１領域数閾値ｃｏｎｔＬｏよりも大きい値である。
低評価値領域数ＣＣ≧ｃｏｎｔＨｉの場合（ステップＳ１６，ＹＥＳ）は、図６における領域（Ｂ）である。
低評価値領域数ＣＣが、第２領域数閾値ｃｏｎｔＨｉ以上の場合とは、被写体が非常に小さく、本発光が到達しないと想定されるシーンのため、発光部４の発光量Ｘ０を弱めると、全体的に非常に暗くなってしまうので、この場合も、
Ｈｏ＿ｄｌｔ＝０  （ステップＳ２１）
すなわち、式（２）において
Ｈｏ＿ａｎｓ＝０  （ステップＳ２３）
したがって発光量Ｘ０に対する発光量の補正は行わず、式（１）は、
Ｘ＝Ｘ０  （図３のステップＳ８）
となる。
【００３２】
ステップＳ１６でＮＯの場合、すなわち、ｃｏｎｔＬｏ＜低評価値領域数ＣＣ＜ｃｏｎｔＨｉの場合は、図６における領域（Ｃ）である。
この場合、さらに、低評価値領域数ＣＣが最大反射光受光領域Ｒｍａｘにおいてどの程度の割合を占め、光量変化にどのように影響するかを求める。
【００３３】
具体的には以下の通りである。
まず、低評価値領域数ＣＣが、最大反射光受光領域Ｒｍａｘの中の、低反射率領域成分がどの程度光量低下に寄与するかを表した変数Ｙを求める（ステップＳ１７）。Ｙは、以下の式で表される。
Ｙ＝ｌｏｇ２（低評価値領域数ＣＣ／全小分割領域）        式（３）
【００３４】
図７は、Ｙを横軸にして、縦軸を補正係数Ｈｏ＿ｄｌｔとしたグラフである。図示するように、Ｙに２つの閾値ＨｉとＬｏとを設ける。
【００３５】
マイナスの値であるＹがＬｏより小さい（絶対値としては大きい）場合（ステップＳ１８，ＹＥＳ）、は図７に示す領域Ｃ１となる。
これは、低評価値領域数ＣＣが少ない場合である。例えば、小分割領域ｒの数が１６でＣＣが１の場合であり、このとき、
Ｙ＝ｌｏｇ２（１／１６）＝−３
となる。これは、照射対象の大きさが比較的大きいことを意味する。
この場合、
Ｈｏ＿ｄｌｔ＝０  （ステップＳ２１）
すなわち、式（２）において
Ｈｏ＿ａｎｓ＝０  （ステップＳ２３）
したがって、発光量Ｘ０に対する発光量の補正は行わず、式（１）は、
Ｘ＝Ｘ０  （図３のステップＳ８）
となる。
【００３６】
ＹがＨｉより大きい（絶対値としては小さい）場合、（ステップＳ１９，ＹＥＳ）は図７に示す領域Ｃ２となる。
これは、低評価値領域数ＣＣが多い場合であり、例えば、小分割領域ｒの数が１６でＣＣが１６とすると、
Ｙ＝ｌｏｇ２（１６／１６）＝０
となる。これは、照射対象が小さいことを意味する。
この場合、
Ｈｏ＿ｄｌｔ＝１  （ステップＳ２２）
すなわち、式（２）において、
Ｈｏ＿ａｎｓ＝Ｈｏ＿ｍａｘ×Ｈｏ＿ｄｌｔ＝Ｈｏ＿ｍａｘ  （ステップＳ２３）
したがって、
Ｘ＝Ｘ０−Ｈｏ＿ｍａｘ  
となる。
【００３７】
ＹがＬｏより大きく、Ｈｉより小さい場合（ステップＳ１９，ＮＯ）は、図７に示す領域Ｃ３となる。
例えば、少分割領域ｒの数が１６でＣＣが８の場合、
Ｙ＝ｌｏｇ２（８／１６）＝−１
となる。
この場合は、Ｙの値に応じて、Ｈｏ＿ｄｌｔの値はリニアに変化し、
Ｈｏ＿ｄｌｔ＝１．０／（Ｈｉ−Ｌｏ）×（Ｙ−Ｌｏ）    式（４）
となる（ステップＳ２０）。そして、
Ｈｏ＿ａｎｓ＝Ｈｏ＿ｍａｘ×Ｈｏ＿ｄｌｔ  （ステップＳ２３）
Ｘ＝Ｘ０−Ｈｏ＿ｍａｘ×Ｈｏ＿ｄｌｔ
となる。
【００３８】
以上、本実施形態によると、以下の効果を有する。
（１）従来、撮影画面の中で、照明光の照射対象（主要被写体等）の占める面積が小さい場合、反射のない背景部分も平均化された評価値に基づいて本発光量が決定される。このため、本来被写体が持っている反射率よりも低い反射率（暗い被写体）と誤認識してしまい、照射対象が過度に照明される可能性がある。
しかし、本実施形態によると、撮影範囲を、それぞれが複数の画素を含む複数の分割領域に分割し、複数の分割領域の中の特定の分割領域を選択して特定領域とし、特定領域をさらに小分割領域に分ける。そして、小分割領域における、発光部による発光がない状態で撮像素子に入射した定常状態の光量と、小分割領域における、発光部がモニタ発光を行った際に撮像素子に入射したモニタ発光時の光量との差に基づいて、発光部における本発光の際の発光量を補正する。
これによって、照射対象の大きさに応じて、適正な光量を発光可能となる。
【００３９】
（２）また、本実施形態で、（１）の特定領域は、定常状態の光量と、モニタ発光時の光量との光量差が最大の分割領域である。この光量差が最大の部分が主要被写体が存在する可能性が高く、撮影時の主要被写体の輝度を最適にすることができる。
【００４０】
（３）さらに小分割領域それぞれについて、小分割領域内のモニタ発光の反射光量を合算して評価値を求め、評価値を第１閾値と比較し、評価値が前記第１閾値より小さい小分割領域の数である低評価値領域数が、一定の範囲にある場合に、発光量を低減する補正を行う。このため、撮影時の主要被写体の輝度をより最適にすることができる。
【００４１】
（４）小分割領域それぞれについて、該小分割領域内の前記画素の差を合算して評価値を求め、評価値を第１閾値と比較し、差が前記第１閾値より小さい小分割領域の数である低評価値領域数の前記小分割領域全体に占める割合から、前記小分割領域における前記低評価値領域数の、被写体輝度に対する影響度を求め、その影響度に応じて、前記発光量の低減量を決定する。
このため、発光量の低減量が、被写体の状況に合わせて変化するため、撮影時の主要被写体の輝度をより最適にすることができる。
【００４２】
（変形形態）
以上、説明した実施形態に限定されることなく、以下に示すような種々の変形や変更が可能であり、それらも本発明の範囲内である。
（１）本実施形態では、照明機能を有するレンズ鏡筒一体型のカメラについて説明したが、これに限らず、カメラ本体とレンズ鏡筒、照明機能とが着脱可能なカメラであってもよい。また、スチルカメラに限らず、ビデオカメラであってもよい。
（２）また、本実施形態の発光装置は、キセノン管で説明したが、これに限らず、例えばＬＥＤを用いた発光装置であってもよい。
なお、実施形態及び変形形態は、適宜組み合わせて用いることもできるが、詳細な説明は省略する。また、本発明は以上説明した実施形態によって限定されることはない。
【符号の説明】
【００４３】
１：カメラ、２：筐体、３：レンズ鏡筒、４：発光部、５：レリーズスイッチ、６：撮像部、７：表示部、８：処理部、１０：発光制御装置
【図１】
2013156359.tif 000003
【図２】
2013156359.tif 000004
【図３】
2013156359.tif 000005
【図４】
2013156359.tif 000006
【図５】
2013156359.tif 000007
【図６】
2013156359.tif 000008
【図７】
2013156359.tif 000009